(57)【要約】  【課題】高圧機器を、冷蔵庫本体の天面に配設したときの振動の伝播を抑制する。  【解決手段】冷蔵庫本体１を構成する第一の天面部２１と、冷蔵庫外箱背面１２側の第一の天面部２１より低い位置に設けた第二の天面部２２と、第二の天面部２２の上方に配設された圧縮機１６と、圧縮機１６を搭載するためのベース２３を備え、第二の天面部２２の上方にベース２３を配設し、ベース２３は第二の天面部２２に備えられた弾性体によって下方より弾性支持されているものであり、圧縮機からの振動の伝播を抑制すると共に、そのことによって振動伝播に伴い発生する騒音の低減も可能となり冷蔵庫の低振動化、低騒音化を可能にできる。【選択図】図２
2005351539.tif 000002
【特許請求の範囲】
【請求項１】
冷蔵庫本体を構成する第一の天面部と、冷蔵庫外箱背面側の前記第一の天面部より低い位置に設けた第二の天面部と、前記第二の天面部の上方に配設された圧縮機と、前記圧縮機を搭載するためのベースを備え、前記第二の天面部の上方に前記ベースを配設し、前記ベースは前記第二の天面部に備えられた弾性体によって下方より弾性支持されている冷蔵庫。
【請求項２】
前記圧縮機と前記ベースの間に弾性体を挿設したことを特徴とした請求項１に記載の冷蔵庫。
【請求項３】
前記圧縮機は前記圧縮機の重心を通る水平面上で前記ベースに固定された請求項１または２に記載の冷蔵庫。
【請求項４】
前記圧縮機を搭載する前記ベースに制振材を貼設したこと請求項１から３のいずれか１項に記載の冷蔵庫。
【発明の詳細な説明】
【技術分野】
【０００１】
本発明は防振、静音構造を施した低騒音化の冷蔵庫に関するものである。
【背景技術】
【０００２】
近年、冷蔵庫は地球環境保護の観点から更なる省エネルギー化が進むとともに、低騒音化が求められている。
【０００３】
従来の冷蔵庫は、最上部に配設された貯蔵室の上奥部の使用性の向上を図ることと、最下部に配設された貯蔵室の収納容積のアップを図る目的のために、冷蔵庫本体の上壁および背壁に渡る上壁後隅部を最上部の貯蔵室の上壁後部が下がるように窪ませた凹部を設け、その凹部に冷却ユニット、圧縮機やファン等の高圧機器を収納するという方法がとられていた（例えば、特許文献１参照）。
【０００４】
図６および図７は、特許文献１に記載された従来の冷蔵庫の構成を示すものである。
【０００５】
図６に示すように、冷蔵庫本体１は、上から順に、冷蔵室２、冷凍室３、野菜室４、を有し、冷蔵室２の前面開口には、回転可能にした冷蔵室扉５を設けている。また、冷凍室３は使用性と収納性を考慮して、その前面開口は上下２枚の冷凍室扉６にて閉塞されている。野菜室４も同様に使用性と収納性を考慮して、その前面開口は野菜室扉７にて閉塞されており、野菜室扉７の裏側には上面開口形状の野菜室容器８が取り付けられ、この容器８は図示しない前後方向のレールに対しローラにて前後方向へ移動可能に支持されている。このため、野菜室扉７を前方へ引き出すことによって野菜室容器８が前方へ引き出され、食品などの収納、取り出しが行える引き出し室を構成している。
【０００６】
また、蒸発器９により冷却された空気は、図示しないダクトを通って冷蔵室２、冷凍室３、野菜室４へそれぞれ循環され各部屋の冷却が行われる。
【０００７】
図７に示すように、凹部１０は、冷蔵庫本体１を構成する冷蔵庫外箱上面１１と冷蔵庫外箱背面１２に渡る上壁後隅部を最上部の貯蔵室である冷蔵室２の上壁後部が下がるように窪ませた箇所である。凹部１０はその左右が冷蔵庫本体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて冷蔵庫本体１に取り外し可能に固定されている。
【０００８】
圧縮機１６と凝縮器１７はそれぞれ冷凍ユニットの構成部品の一つであり、凝縮器１７は、機械室ファン１８の作用によって放熱される。
【０００９】
圧縮機１６と凝縮器１７は冷凍ユニットの高圧機器１９であり、機械室ファン１８と共に凹部１０内に配置され、凹部カバー１５にて覆われており、高圧機器１９の上端は凹部１０から突出しないように、冷蔵室外箱上面１１以下となるように設計されている。また、凹部カバー１５の上板１３と背板１４には、高圧機器１９の放熱のために複数の通風孔２０が設けられている。
【００１０】
凹部１０に高圧機器１９を収納し、最下部の貯蔵室である野菜室４の下奥隅部を奥行き深く構成することによって、冷蔵庫本体１の背面下部に高圧機器を収納する機械室を設けたものと比較して、引き出し室を構成する野菜室４の奥行きは深くなり野菜室４の内容積を大きくできる。また、高圧機器１９を冷蔵庫本体１の上部に配置しても、最下部の貯蔵室である野菜室４への収納重量の増加により、冷蔵庫本体１の重心が下がり安定化が図れる。
【特許文献１】特開２００１−９９５５２号公報
【発明の開示】
【発明が解決しようとする課題】
【００１１】
しかしながら、上記従来の構成では、圧縮機の振動が冷蔵庫本体に伝播し、冷蔵庫本体から発生する振動音及び冷蔵庫本体から他の部品へ振動が伝播し、その部品（例えば、冷蔵庫内の食品収納棚）が振動することによる騒音が発生するといった課題があった。
【００１２】
本発明は、上記従来の課題を解決するもので、圧縮機や機械室ファンという音源を冷蔵庫の天面部に設置する冷蔵庫において、振動の伝播を抑制し、低騒音の冷蔵庫を提供することを目的とする。
【課題を解決するための手段】
【００１３】
上記従来の課題を解決するために、冷蔵庫本体を構成する第一の天面部と、冷蔵庫外箱背面側の前記第一の天面部より低い位置に設けた第二の天面部と、前記第二の天面部の上方に配設された圧縮機と、前記圧縮機を搭載するためのベースを備え、前記第二の天面部の上方に前記ベースを配設し、前記ベースは前記第二の天面部に備えられた弾性体によって下方より弾性支持されているものである。
【００１４】
これによって、圧縮機から発生した振動が直接第二の天面部を通過して庫内や冷蔵庫本体へと伝わる過程において、弾性体により振動が吸収されるため、防振効果を得ることができる。
【００１５】
また圧縮機からの振動伝播が抑制されることによって振動による騒音を低減することができ、冷蔵庫の静音化が図れる。
【発明の効果】
【００１６】
本発明の冷蔵庫は、圧縮機からの振動伝播を抑制し、さらに振動に伴い発生する騒音を低減し、冷蔵庫の低振動化、静音化が図れる。
【００１７】
また、圧縮機の熱を第二の天面部に直接伝えないため、冷蔵庫内への熱の侵入を抑制し、消費電力量の低減にもつながる。
【発明を実施するための最良の形態】
【００１８】
請求項１に記載の発明は、冷蔵庫本体を構成する第一の天面部と、冷蔵庫外箱背面側の前記第一の天面部より低い位置に設けた第二の天面部と、前記第二の天面部の上方に配設された圧縮機と、前記圧縮機を搭載するためのベースを備え、前記第二の天面部の上方に前記ベースを配設し、前記ベースは前記第二の天面部に備えられた弾性体によって下方より弾性支持されているものであり、これにより圧縮機より発生する振動の伝播を低減でき、低振動化が図れる。
【００１９】
また、振動伝播を低減することによって振動に伴い発生する騒音を低減することも可能である。
【００２０】
また、圧縮機等の高温機器が放熱した熱を前記第二の天面部に直接伝えないため、冷蔵庫内への熱の進入を抑制し、消費電力量の低減にもつながる。
【００２１】
請求項２に記載の発明は、圧縮機とベースの間に弾性体を挿設することにより、弾性体によって圧縮機からベースへと伝播する振動の減衰をすることができ、さらに冷蔵庫の低振動化が可能となり、振動伝播に伴う騒音発生を抑制することができる。
【００２２】
請求項３に記載の発明は、前記圧縮機は前記圧縮機の重心を通る水平面上で前記ベースに固定されたものであり、圧縮機下部で固定するのと比較して、左右方向の振動に関して連成振動が起きなくなり、より圧縮機の振動が抑えられ、庫内へと伝播する振動を低減することができる。また、重心面で固定することによって圧縮機から伝達した振動振幅を低減することができ、圧縮機に取り付けられた配管等の振動が抑えられ、配管を通じての振動伝播を低減できる。
【００２３】
請求項４に記載の発明は、ベースに制振材を貼設することによって、圧縮機からの振動伝播によるベースのゆれを低減でき、さらなる冷蔵庫の振動低減が可能となる。
【００２４】
（実施の形態１）
図１は本発明の実施の形態１における冷蔵庫の概略断面図、図２、図３、図４、図５は本発明の実施の形態１における冷蔵庫の機械室の概略図を示すものである。なお、背景技術と同一構成については同一符号を付す。
【００２５】
図１、図２において、比較的高温の区画である冷蔵室２は上方部に、比較的低温の区画である冷凍室３は下方部に配設されており、冷蔵室２および冷凍室３は例えばウレタンのような断熱材で周囲と断熱して構成されている。また、食品等の収納物の出し入れは図示しない断熱ドアを介して行われる。
【００２６】
冷蔵室２は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００２７】
冷凍室３は冷凍保存のために通常−２２〜−１８℃で設定されているが、保鮮性向上のためより低温の温度、例えば−３０〜−２５℃で設定されることもある。
【００２８】
冷蔵庫本体１の天面は第一の天面部２１と、冷蔵庫外箱背面１２側の第一の天面部２１より低い位置に設けた第二の天面部２２とで構成されている。
【００２９】
凝縮器１７は第一の天面部２１の上方空間部に配設されており、冷蔵庫本体１の上方の空気と熱交換する構成となっている場合もある。
【００３０】
圧縮機１６を保持するベース２３は第二の天面部上に設けられた弾性体２４によって下方より支持される形で設置されている。
【００３１】
また、圧縮機１６は例えばインバーターによる回転数制御で冷媒循環量を制御し冷凍能力を変化させることができる能力可変型としてある場合もある。
【００３２】
第二の天面部２２上で圧縮機１６を搭載するベース２３をスプリング、ゴム、熱可塑性樹脂（例えばエラストマー）などの弾性材２４で弾性支持することによって圧縮機からの振動が直接第二の天面２２より庫内へと伝わるのでなく、弾性体２４で吸収されるので振動を低減させることが可能となる。
【００３３】
また、図３のように、圧縮機１６とベース２３との間に、スプリング、ゴム、熱可塑性樹脂（例えばエラストマー）のような衝撃等を吸収する弾性体２５を設けることにより、圧縮機１６にて発生した振動がベース２３に伝播する際に、弾性体２５によって振動が吸収されるので、ベース２３を下部より支える弾性体２４と共に二重で振動を吸収することなり、振幅の抑制につながり、振動伝播ならびに振動による音の発生をさらに抑制することができる。
【００３４】
また、これらの圧縮機１６とベース２３との間の弾性体２５と、ベース２３と冷蔵庫本体との間の冷蔵庫２４との弾性体２４とは異なった弾性係数を有したものを用いることで、さらに騒音や振動を低減することができる。
【００３５】
さらにベース重量を重くすることによってベース２３から第二の天面２２への振動伝達率をより低下させることができ、圧縮機１６とベース２３との間に設けた弾性体の硬さを変更することなく、振動を低減することができる。またインバーターによって圧縮機の回転数制御を行う場合は、低回転時において圧縮機の振動が増大し、庫内への伝播も大きくなるといった課題があるが、ベース重量を重くすることによって振動伝達率が低下するのでより低回転での運転が可能となる。
【００３６】
また、図４のように、圧縮機１６の重心部に弾性体２５を取り付けてベース２３に固定することによって圧縮機１６の下部で支えた場合と比較して連成振動を起こすことがなく、より振動を抑えることが可能となる。また、圧縮機１６を重心面で保持するので圧縮機１６のゆれをベース２３が吸収し、圧縮機１６のゆれを抑えることが可能となり、圧縮機に取り付けられた配管を伝播しての振動低減も図ることができる。
【００３７】
また、図５のように、ベースに制振材を貼り付けることによって、圧縮機から庫内へと振動が伝播する際にベースにおいてその振動を吸収することができ、さらなる低振動化、振動の伝播に伴う騒音の低減を図ることができる。
【産業上の利用可能性】
【００３８】
以上のように、本発明にかかる冷蔵庫は、圧縮機上部設置時の騒音、振動の低減が可能となるので、家庭用冷蔵庫のみならず、業務用冷蔵庫など圧縮機を使用する機器へと適用できる。
【図面の簡単な説明】
【００３９】
【図１】本発明の実施の形態１における冷蔵庫の概略断面図
【図２】本発明の実施の形態１における冷蔵庫の機械室の概略図
【図３】本発明の実施の形態１における冷蔵庫の機械室の概略図
【図４】本発明の実施の形態１における冷蔵庫の機械室の概略図
【図５】本発明の実施の形態１における冷蔵庫の機械室の概略図
【図６】従来の冷蔵庫の概略図
【図７】従来の冷蔵庫の機械室の概略図
【符号の説明】
【００４０】
１    冷蔵庫本体
１０  凹部
１２  冷蔵庫外箱背面
１６  圧縮機
２１  第一の天面部
２２  第二の天面部
２３  ベース
２４  ベース支持弾性体
２５  圧縮機支持弾性体
２６  制振材
【図１】
2005351539.tif 000003
【図２】
2005351539.tif 000004
【図３】
2005351539.tif 000005
【図４】
2005351539.tif 000006
【図５】
2005351539.tif 000007
【図６】
2005351539.tif 000008
【図７】
2005351539.tif 000009